(57)【要約】【課題】システムを複雑にすることなく、外部信号無入力時のバックライトの消費電力を低減することが可能な液晶表示装置を提供する。【解決手段】バックライト駆動部１８は、制御部からの制御信号に基づいて所定のデューティを持ったＰＷＭ信号を生成するＰＷＭ調光回路３０と、バックライト１７の管電流を調整するための抵抗Ｒ１〜Ｒ６を含む管電流調整回路３４、３５とを有している。外部機器から映像信号が入力される外部入力モードにおいて、液晶パネルにＯＳＤ映像が表示されている状態で、外部機器から映像信号が入力されない状態が一定時間継続すると、上記ＰＷＭ信号に基づいて管電流調整回路３４、３５の抵抗値を変化させて、バックライト１７の管電流を減少させる。【選択図】図３
2009294294.tif 000002
【特許請求の範囲】
【請求項１】
液晶パネルの光源であるバックライトと、
前記バックライトを駆動するバックライト駆動部と、
前記バックライト駆動部を制御する制御部と、
前記液晶パネルに表示されるＯＳＤ（On  Screen Display）映像を生成するＯＳＤ処理部と、
を備えた液晶表示装置において、
前記バックライト駆動部は、前記制御部からの制御信号に基づいて所定のデューティを持ったＰＷＭ（Pulse Width Modulation）信号を生成するＰＷＭ調光回路と、前記バックライトの管電流を調整するための抵抗を含む管電流調整回路とを有し、
前記制御部は、外部機器から映像信号が入力される外部入力モードにおいて、前記液晶パネルに前記ＯＳＤ映像が表示されている状態で、前記外部機器から映像信号が入力されない状態が一定時間継続すると、前記ＰＷＭ信号に基づいて前記管電流調整回路の抵抗値を変化させて、前記バックライトの管電流を減少させることを特徴とする液晶表示装置。
【請求項２】
請求項１に記載の液晶表示装置において、
前記管電流調整回路は、直列に接続された２つの抵抗と、これらの抵抗の一方に並列接続されたトランジスタとを備え、
前記ＰＷＭ信号に基づいて前記トランジスタのＯＮ／ＯＦＦを制御することを特徴とする液晶表示装置。
【請求項３】
請求項２に記載の液晶表示装置において、
前記ＰＷＭ信号を積分する積分回路と、
前記積分回路の出力電圧を基準電圧と比較し、当該比較結果に基づいて前記トランジスタをＯＮ／ＯＦＦさせる信号を出力するコンパレータと、を更に備え、
前記コンパレータの出力により前記トランジスタをＯＦＦさせることにより、前記管電流調整回路の抵抗値を大きくして、前記バックライトの管電流を減少させることを特徴とする液晶表示装置。
【発明の詳細な説明】
【技術分野】
【０００１】
本発明は、液晶テレビジョン受像機などに用いられる液晶表示装置に関し、特に、バックライトの省電力化の技術に関する。
【背景技術】
【０００２】
液晶テレビジョン受像機（以下、「液晶テレビ」という。）は、液晶パネルを背照するためのバックライトを備えている。バックライトとしては、一般に冷陰極管のような消費電力の大きい放電灯が用いられており、バックライトにおける消費電力は、液晶テレビ全体の消費電力の半分以上を占めているのが実情である。
【０００３】
一方、液晶テレビにおいては、チューナで受信した映像信号に基づく映像を表示する通常モードと、ビデオデッキやＤＶＤ（Digital Versatile Disc）レコーダ等の外部機器から入力された映像信号に基づく映像を表示する外部入力モードとを切り替える機能が備わっている。
【０００４】
外部入力モードを選択した場合は、外部機器から映像信号が入力されない状態であっても、外部入力モードであることがわかるように、ＯＳＤ（On Screen Display）の機能により、画面上に特定の文字や図形が表示されるようになっている。したがって、無信号状態であるにもかかわらず、バックライトは点灯状態にあって無駄な電力を消費し続けることになる。
【０００５】
バックライトの省電力化に関する先行技術としては、例えば、下記の特許文献１〜３に示されるものがある。
【０００６】
特許文献１には、外部入力モードにおいて一定時間継続して映像信号の入力がない場合に、ＯＳＤ表示されている文字や図形に対向配置されたバックライト以外のバックライトを消灯するようにした液晶テレビが開示されている。
【０００７】
特許文献２には、バックライトの点灯と消灯とのタイミングを制御して調光制御を行うＰＷＭ（Pulse Width Modulation：パルス幅変調）調光回路部と、バックライトの電流を制御して調光制御を行う電流調光回路部とを有し、両調光回路部によってバックライトの調光レベルを制御することで調光範囲を拡大したバックライト駆動回路が開示されている。
【０００８】
特許文献３には、外部入力モードにおいて、外部入力端子にコネクタが差し込まれているか否かを検出し、差し込まれていない場合には、マイクロコンピュータから調光回路へ減光指示の制御信号を伝送し、調光回路から出力されるオン／オフのタイミング信号に基づいてバックライトをデューティ点灯させるようにした液晶画像表示装置が開示されている。
【０００９】
【特許文献１】特開２００６−１３９４２号公報
【特許文献２】特開平１０−２８４２８２号公報
【特許文献３】特開２００３−３１６３２５号公報
【発明の開示】
【発明が解決しようとする課題】
【００１０】
特許文献１の液晶テレビによれば、外部機器からの映像信号入力が無いときに、バックライトで無駄な電力が消費されるのを抑制することができるが、本文献の場合、一部のバックライトを消灯するので、例えば画面の上側が明るく下側が暗いというような状態が生じ、視聴者に違和感を与える。また、無信号時に点灯するバックライトと点灯しないバックライトとが存在するため、バックライトの寿命が不均一になるという問題もある。
【００１１】
そこで、この対策として、バックライト駆動回路における管電流設定用の抵抗値を可変として、外部信号のない状態でバックライトの管電流を減少させることが考えられる。具体的には、管電流設定用の抵抗を２つの抵抗の直列回路から構成し、一方の抵抗にトランジスタを並列接続し、このトランジスタのＯＮ／ＯＦＦをマイクロコンピュータからのＨ（Ｈｉｇｈ）／Ｌ（Ｌｏｗ）信号で制御することにより、抵抗値を変化させて無信号時の管電流が減少するように構成する。これによると、バックライト全体の輝度が低下するので、画面上に明るい部分と暗い部分とが存在するような状態は発生せず、バックライトの寿命も均一化することができる。
【００１２】
しかしながら、上記のような構成を採用した場合は、マイクロコンピュータにおいて、トランジスタをＯＮ／ＯＦＦさせるための制御信号を生成する必要があるとともに、この制御信号を出力するためのポートが必要となり、システムが複雑になるという問題がある。また、マイクロコンピュータのポート数が限られている場合は、設計の自由度が低下するという問題がある。上記の特許文献１〜３には、このような課題に対する解決策は示されていない。
【００１３】
本発明は、上述した課題を解決するものであって、その目的とするところは、システムを複雑にすることなく、外部信号無入力時のバックライトの消費電力を低減することが可能な液晶表示装置を提供することにある。
【課題を解決するための手段】
【００１４】
本発明に係る液晶表示装置は、液晶パネルの光源であるバックライトと、このバックライトを駆動するバックライト駆動部と、このバックライト駆動部を制御する制御部と、液晶パネルに表示されるＯＳＤ（On Screen Display）映像を生成するＯＳＤ処理部とを備えた液晶表示装置であって、バックライト駆動部は、制御部からの制御信号に基づいて所定のデューティを持ったＰＷＭ（Pulse Width Modulation）信号を生成するＰＷＭ調光回路と、バックライトの管電流を調整するための抵抗を含む管電流調整回路とを有している。そして、制御部は、外部機器から映像信号が入力される外部入力モードにおいて、液晶パネルにＯＳＤ映像が表示されている状態で、外部機器から映像信号が入力されない状態が一定時間継続すると、ＰＷＭ信号に基づいて管電流調整回路の抵抗値を変化させて、バックライトの管電流を減少させる。
【００１５】
このようにすると、既存の調光用のＰＷＭ信号を用いて管電流調整回路の抵抗値を変化させることができるので、マイクロコンピュータにおいて、トランジスタをＯＮ／ＯＦＦさせるための制御信号を生成する必要がなく、この制御信号を出力するためのポートも不要となる。したがって、システムを複雑にすることなく、外部信号無入力時のバックライトの消費電力を低減することが可能となる。また、マイクロコンピュータのポート数が限られている場合でも、対応が可能となる。
【００１６】
本発明においては、管電流調整回路が、直列に接続された２つの抵抗と、これらの抵抗の一方に並列接続されたトランジスタとを備え、ＰＷＭ信号に基づいてトランジスタのＯＮ／ＯＦＦを制御するような構成を採用することができる。これによると、抵抗とトランジスタとを用いた簡単な回路構成により、バックライトの管電流を制御することができる。
【００１７】
この場合、ＰＷＭ信号を積分する積分回路と、この積分回路の出力電圧を基準電圧と比較し、当該比較結果に基づいてトランジスタをＯＮ／ＯＦＦさせる信号を出力するコンパレータとを更に設け、コンパレータの出力によりトランジスタをＯＦＦさせることにより、管電流調整回路の抵抗値を大きくして、バックライトの管電流を減少させるような構成を採用してもよい。これによると、ＰＷＭ信号に基づくトランジスタのＯＮ／ＯＦＦ制御を容易に実現することができる。
【発明の効果】
【００１８】
本発明によれば、既存の調光用のＰＷＭ信号を用いて管電流を制御することができるため、マイクロコンピュータにおいてＰＷＭ信号とは別に制御信号を生成する必要がなく、当該制御信号の出力ポートも不要となる。その結果、システムを複雑にすることなく、外部信号無入力時のバックライトの消費電力を低減することが可能となる。
【発明を実施するための最良の形態】
【００１９】
以下、本発明を液晶テレビに適用した場合の実施形態につき、図面を参照しながら説明する。
【００２０】
図１は、本発明の実施形態に係る液晶テレビの外観を示す正面図である。液晶テレビ１００は、本体１と、この本体１を支持する基台２とを備えている。本体１の前面には、液晶パネル１６が設けられており、この液晶パネル１６の裏側には、液晶パネル１６の光源であるバックライト１７が配設されている。バックライト１７は、例えば４本の冷陰極管１７ａ〜１７ｄから構成され、液晶パネル１６に対して背面から光を照射する。２４は、本体１の前面に設けられた電源スイッチ等の操作部である。
【００２１】
図２は、液晶テレビ１００の電気的構成を示すブロック図である。図２において、図１と同一部分には同一符号を付してある。１０は放送電波を受信するアンテナ、１１はアンテナ１０で受信された放送電波から所定の周波数の信号を抽出するチューナ、１２はビデオデッキやＤＶＤ（Digital Versatile Disc）レコーダ等の外部機器２６からの信号が入力される外部入力端子である。
【００２２】
１３は、チューナ１１からの信号と外部入力端子１２からの信号を切り替えるとともに、切り替えた信号に対して所定の処理を行う信号処理部である。１４は、信号処理部１３から出力される映像信号に基づく映像と、ＯＳＤ処理部１５で生成されたＯＳＤ映像とを合成して表示するための処理を行う映像回路である。
【００２３】
１６は映像回路１４の出力に基づいて映像を表示する液晶パネル、１７は液晶パネル１６のバックライトであって、これらは図１に示したものと同じである。１８は、バックライト１７を駆動するためのバックライト駆動部であって、その詳細については後述する。
【００２４】
１９は信号処理部１３から出力される音声信号に対して増幅等を行う音声回路、２０はこの音声回路１９の出力に基づいて音声を出力するスピーカである。
【００２５】
２１は、液晶テレビ１００の動作を制御する制御部としてのマイクロコンピュータ（以下、「マイコン」という。）であって、ＣＰＵやメモリなどを備えている。２２は、リモコン２３から送信される信号を受信するリモコン受信部である。２４は、図１でも示したように、液晶テレビ１００の本体１に設けられた操作部である。
【００２６】
２５は電源であって、バックライト駆動部１８をはじめ、液晶テレビ１００の各部へ必要な電源を供給する。
【００２７】
図３は、図２におけるバックライト駆動部１８の具体的な回路の一例を示した図である。図において、図１および図２と同一部分には同一符号を付してある。３０は、バックライト１７の輝度を調整するための調光制御を行うＰＷＭ調光回路である。このＰＷＭ調光回路３０は、例えば前記の特許文献２に示されるような公知の回路から構成され、制御部２１（図２）からの制御信号に基づいて所定のデューティを持ったＰＷＭ信号を生成する発振回路３１を備えている。このＰＷＭ信号は、スイッチング回路３２に与えられるとともに、後述の積分回路３６にも与えられる。
【００２８】
３２は、ＰＷＭ調光回路３０から出力されるＰＷＭ信号のデューティに応じたタイミングでＯＮ／ＯＦＦ動作を行うスイッチング回路である。このスイッチング回路３２も、前記の特許文献２に示されるような公知の回路から構成され、トランジスタやＦＥＴ等のスイッチング素子（図示省略）を有している。
【００２９】
３３は、スイッチング回路３２とともにインバータを構成する昇圧トランス（以下、単に「トランス」という。）であって、一対の一次巻線Ｗａ１，Ｗｂ１と、一対の二次巻線Ｗａ２，Ｗｂ２とを有している。二次巻線Ｗａ２の一方の端子ｂはバックライト１７の一方の端子ｐに接続され、二次巻線Ｗｂ２の一方の端子ｃはバックライト１７の他方の端子ｑに接続されている。したがって、バックライト１７の端子ｐに印加される電圧と、バックライト１７の端子ｑに印加される電圧とは逆相の関係になる。
【００３０】
二次巻線Ｗａ２の他方の端子ａには、ダイオードＤ１、Ｄ２、コンデンサＣ１、抵抗Ｒ１〜Ｒ３、トランジスタＱ１が接続されている。ダイオードＤ１のカソードは端子ａに接続されており、アノードはグランドに接続されている。ダイオードＤ２のアノードは端子ａに接続されており、カソードはコンデンサＣ１の一端に接続されている。コンデンサＣ１の他端はグランドに接続されている。抵抗Ｒ１はコンデンサＣ１と並列に接続されている。抵抗Ｒ２とＲ３は直列に接続され、この直列回路は抵抗Ｒ１と並列に接続されている。トランジスタＱ１は抵抗Ｒ３と並列に接続されている。抵抗Ｒ１〜Ｒ３、およびトランジスタＱ１により、バックライト１７の管電流を調整するための管電流調整回路３４が構成される。
【００３１】
二次巻線Ｗｂ２の他方の端子ｄには、ダイオードＤ３、Ｄ４、コンデンサＣ２、抵抗Ｒ４〜Ｒ６、トランジスタＱ２が接続されている。ダイオードＤ３のカソードは端子ｄに接続されており、アノードはグランドに接続されている。ダイオードＤ４のアノードは端子ｄに接続されており、カソードはコンデンサＣ２の一端に接続されている。コンデンサＣ２の他端はグランドに接続されている。抵抗Ｒ４はコンデンサＣ２と並列に接続されている。抵抗Ｒ５とＲ６は直列に接続され、この直列回路は抵抗Ｒ４と並列に接続されている。トランジスタＱ２は抵抗Ｒ６と並列に接続されている。抵抗Ｒ４〜Ｒ６、およびトランジスタＱ２により、バックライト１７の管電流を調整するための管電流調整回路３５が構成される。
【００３２】
管電流調整回路３４、３５のトランジスタＱ１、Ｑ２の各ベースには、コンパレータ３７の出力が共通に与えられる。コンパレータ３７は、正入力端子に積分回路３６の出力が入力され、負入力端子に基準電圧Ｂが入力される。積分回路３６は、抵抗Ｒ７とコンデンサＣ３から構成されており、ＰＷＭ調光回路３０の発振回路３１で生成されたＰＷＭ信号が入力される。
【００３３】
積分回路３６は、ＰＷＭ信号を積分して、ＰＷＭ信号のデューティに応じた直流電圧を出力する。ＰＷＭ信号は、「Ｈ」と「Ｌ」の２値パルス信号であり、１周期における「Ｈ」の期間の割合、すなわちＯＮデューティが大きいほど、積分回路３６の出力電圧は大きくなる。以下では、「デューティ」という用語は「ＯＮデューティ」を指すものとする。コンパレータ３７は、積分回路３６から入力される電圧が基準電圧Ｂを超えておれば「Ｈ」信号を出力し、積分回路３６から入力される電圧が基準電圧Ｂを超えてなければ「Ｌ」信号を出力する。コンパレータ３７の出力は、トランジスタＱ１、Ｑ２の各ベースに与えられ、トランジスタＱ１、Ｑ２は、コンパレータ３７の出力が「Ｈ」のときにＯＮとなり、コンパレータ３７の出力が「Ｌ」のときにＯＦＦとなる。
【００３４】
次に、図２および図３を参照して、液晶テレビ１００における調光動作について説明する。利用者がリモコン２３を操作して、液晶パネル１６の画面の輝度を調整する操作を行うと、リモコン２３からリモコン受信部２２に信号が送信される。この信号を受けて、マイコン２１は、ＰＷＭ調光回路３０に調光用の制御信号を送る。ＰＷＭ調光回路３０では、この制御信号に基づいて、リモコン２３からの指令に対応するデューティを持ったＰＷＭ信号を発振回路３１で生成し、当該ＰＷＭ信号をスイッチング回路３２に出力する。このとき、ＰＷＭ調光回路３０は、積分回路３６へＰＷＭ信号を出力しない（但し、後述のように出力してもよい）。
【００３５】
スイッチング回路３２では、ＰＷＭ調光回路３０からのＰＷＭ信号のデューティに応じたタイミングで、トランジスタがＯＮ／ＯＦＦ動作を行う。このＯＮ／ＯＦＦ動作により発生する交流電圧がトランス３３で昇圧され、バックライト１７の駆動電圧としてトランス３３の二次側に供給される。この駆動電圧は、ＰＷＭ信号のデューティに応じたものとなり、デューティが大きければ駆動電圧が大きくなって、バックライト１７の輝度は増大し、デューティが小さければ駆動電圧が小さくなって、バックライト１７の輝度は低下する。
【００３６】
以上述べたＰＷＭ調光動作は、従来のものと同じであって、特に目新しいものではない。
【００３７】
次に、本発明の特徴である、バックライト１７の管電流制御による省電力動作につき、図２および図３を参照して説明する。
【００３８】
図２において、外部入力端子１２に外部機器２６が接続され、リモコン２３で外部入力モードが設定されると、ＯＳＤ処理部１５により、液晶パネル１６の画面には外部入力モードの無地画面（例えば、青画面に外部入力等の文字が表示された画面）が表示される。このとき、バックライト１７は点灯状態にある。その後、外部機器２６を操作して、外部機器２６からの信号が外部入力端子１２から入力されると、液晶パネル１６の画面には、当該信号に基づく映像が表示され、通常の再生動作が行われる。しかし、一定時間が経過しても外部機器２６が操作されず、外部入力端子１２から信号が入力されないときは、マイコン２１からＰＷＭ調光回路３０に対して、省電力動作への移行を指示する制御信号が送られる。
【００３９】
ＰＷＭ調光回路３０では、マイコン２１からこの制御信号を受け取ると、発振回路３１において、デューティの小さいＰＷＭ信号を生成し、当該ＰＷＭ信号を積分回路３６へ出力する。このとき、ＰＷＭ調光回路３０は、同じＰＷＭ信号をスイッチング回路３２にも出力する（但し、後述のように出力しなくてもよい）。
【００４０】
積分回路３６では、抵抗Ｒ７とコンデンサＣ３によりＰＷＭ調光回路３０から出力されたＰＷＭ信号を積分し、ＰＷＭ信号のデューティに応じたレベルの直流電圧が積分回路３６から出力される。この出力電圧は、コンパレータ３７において基準電圧Ｂと比較され、前述のように、出力電圧が基準電圧Ｂを超えておればコンパレータ３７から「Ｈ」信号が出力され、出力電圧が基準電圧Ｂを超えてなければコンパレータ３７から「Ｌ」信号が出力される。今の場合は、ＰＷＭ信号のデューティが小さいため、コンパレータ３７から出力される信号は「Ｌ」信号となる。
【００４１】
この「Ｌ」信号は、管電流調整回路３４のトランジスタＱ１のベース、および管電流調整回路３５のトランジスタＱ２のベースに共通に与えられ、これによって、トランジスタＱ１、Ｑ２はともにＯＦＦとなる。
【００４２】
なお、マイコン２１からＰＷＭ調光回路３０へ前述の省電力移行指令が与えられない場合は、ＰＷＭ調光回路３０から積分回路３６へ、デューティの大きいＰＷＭ信号、または連続した「Ｈ」信号（デューティが１００％のＰＷＭ信号）が出力される。このため、コンパレータ３７から「Ｈ」信号が出力され、トランジスタＱ１、Ｑ２はともにＯＮとなるため、抵抗Ｒ３、Ｒ６は短絡された状態となっている。
【００４３】
コンパレータ３７からの「Ｌ」信号によりトランジスタＱ１がＯＦＦとなると、抵抗Ｒ３の短絡が解除されて、抵抗Ｒ２と抵抗Ｒ３とが直列に接続される結果、トランジスタＱ１がＯＮの場合に比べて、抵抗Ｒ２に流れる電流が減少する。同様に、コンパレータ３７からの「Ｌ」信号によりトランジスタＱ２がＯＦＦとなると、抵抗Ｒ６の短絡が解除されて、抵抗Ｒ５と抵抗Ｒ６とが直列に接続される結果、トランジスタＱ２がＯＮの場合に比べて、抵抗Ｒ５に流れる電流が減少する。この結果、バックライト１７の管電流が減少して、バックライト１７の輝度が低下する。したがって、外部入力モードにおいて、信号無入力時のバックライト１７の消費電力を低減することができる。
【００４４】
さらに、このときのデューティが小さいＰＷＭ信号は、スイッチング回路３２にも与えられるため、スイッチング回路３２からトランス３３を介して供給されるバックライト１７の駆動電圧が小さくなり、バックライト１７の輝度が低下する。したがって、上述した管電流制御による消費電力の低減に加えて、調光制御によっても消費電力を低減することができるので、バックライト１７の消費電力の大幅な削減を図ることができる。
【００４５】
例えば、バックライト１７の管電流の通常値を７ｍＡとした場合、液晶テレビ１００の消費電力は約１４０Ｗとなるが、ＰＷＭ信号による管電流制御を行うことで管電流は６ｍＡまで下がり、これに更に調光制御を行うことで、液晶テレビ１００の消費電力は約６１Ｗとなる。したがって、約７９Ｗの電力を削減することが可能となる。
【００４６】
図４は、以上述べた管電流制御による省電力動作の手順を表したフローチャートである。この手順は、マイコン２１を構成するＣＰＵによって実行される。
【００４７】
ステップＳ１では、リモコン２３において外部入力モードの選択が行われたか否かを判定する。外部入力モードが選択されない場合、すなわち、チューナ１１で受信した放送を視聴する通常モードの場合は（ステップＳ１：ＮＯ）、ステップＳ８へ移行し、外部入力モードが選択された場合は（ステップＳ１：ＹＥＳ）、ステップＳ２へ移行する。
【００４８】
ステップＳ２では、液晶パネル１６の画面にＯＳＤ表示をするか否かを判定し、ＯＳＤ表示をしない場合は（ステップＳ２：ＮＯ）、ステップＳ８へ移行し、ＯＳＤ表示をする場合は（ステップＳ２：ＹＥＳ）、ステップＳ３へ移行する。
【００４９】
ステップＳ３では、ＯＳＤ処理部１５で生成されたＯＳＤ映像を、液晶パネル１６の画面に表示する。
【００５０】
次のステップＳ４では、同期信号が検出されたか否かを判定する。外部機器２６が操作されて、ビデオテープやＤＶＤ等の再生が行われると、外部入力端子１２から入力される映像信号に含まれている同期信号が信号処理部１３で検出される。しかし、外部機器２６が操作されないと、外部入力端子１２から映像信号が入力されないため、同期信号は検出されない。同期信号が検出された場合は（ステップＳ４：ＹＥＳ）、ステップＳ７へ移行し、同期信号が検出されない場合は（ステップＳ４：ＮＯ）、ステップＳ５へ移行する。
【００５１】
ステップＳ７では、リモコン２３が操作されたか否かを判定し、操作された場合は（ステップＳ７：ＹＥＳ）、ステップＳ８へ移行し、操作されない場合は（ステップＳ７：ＮＯ）、ステップＳ４へ戻る。
【００５２】
ステップＳ５では、ステップＳ１でモード切り替えがあってから所定時間（例えば、１０分）が経過したか否かが判定される。所定時間が経過してなければ（ステップＳ５：ＮＯ）、ステップＳ７へ移行し、所定時間が経過しておれば（ステップＳ５：ＹＥＳ）、ステップＳ６へ移行する。
【００５３】
ステップＳ６では、管電流制御による省電力モードへの移行が行われ、前述したように、ＰＷＭ調光回路３０からのＰＷＭ信号に基づいて、バックライト１７の管電流を減少させて、画面の輝度を低下させる。
【００５４】
ステップＳ８では、ステップＳ１で外部入力モードが選択されず、ステップＳ２でＯＳＤ表示を行わず、またはステップＳ７でリモコン２３の操作が行われた場合に、省電力モードを解除する。
【００５５】
ステップＳ６、Ｓ８を実行した後、上述した一連の処理を終了する。
【００５６】
以上述べた実施形態によれば、既存の調光用のＰＷＭ信号を用いて管電流調整回路３４、３５の抵抗値を変化させることができるので、マイコン２１において、トランジスタＱ１、Ｑ２をＯＮ／ＯＦＦさせるための制御信号を生成する必要がなく、この制御信号を出力するためのポートも不要となる。したがって、システムを複雑にすることなく、外部信号無入力時のバックライト１７の消費電力を低減することが可能となる。また、マイコン２１のポート数が限られている場合でも、対応が可能となる。
【００５７】
また、管電流調整回路３４、３５が、直列に接続された２つの抵抗Ｒ２、Ｒ３、およびＲ５、Ｒ６と、これらの抵抗の一方Ｒ３、Ｒ６に並列接続されたトランジスタＱ１、Ｑ２とを備え、ＰＷＭ信号に基づいてトランジスタＱ１、Ｑ２のＯＮ／ＯＦＦを制御する構成としたので、抵抗とトランジスタとを用いた簡単な回路構成により、バックライト１７の管電流を制御することができる。
【００５８】
さらに、ＰＷＭ信号を積分する積分回路３６と、この積分回路３６の出力電圧を基準電圧Ｂと比較し、当該比較結果に基づいてトランジスタＱ１、Ｑ２をＯＮ／ＯＦＦさせる信号を出力するコンパレータ３７とを設け、コンパレータ３７の出力によりトランジスタＱ１、Ｑ２をＯＦＦさせることにより、管電流調整回路３４、３５の抵抗値を大きくして、バックライト１７の管電流を減少させる構成としたので、ＰＷＭ信号に基づくトランジスタＱ１、Ｑ２のＯＮ／ＯＦＦ制御を容易に実現することができる。
【００５９】
本発明は、上述した以外にも種々の実施形態を採用することができる。例えば、上記実施形態では、調光動作時に、発振回路３１で生成したＰＷＭ信号を積分回路３６へ出力しないようにしたが、先にも触れたとおり、ＰＷＭ信号を積分回路３６へ出力してもよい。この場合は、通常の調光制御によるバックライト１７の輝度調整に加えて、管電流制御による輝度調整も行われるため、調光範囲を拡大することができる。
【００６０】
また、上記実施形態では、管電流制御時に、ＰＷＭ信号をスイッチング回路３２にも出力するようにしたが、先にも触れたとおり、ＰＷＭ信号をスイッチング回路３２へ出力しなくてもよい。この場合は、調光制御による消費電力の低減は期待できないが、管電流制御だけでも、かなりの消費電力を削減することができる。
【００６１】
また、上述した実施形態では、管電流調整回路３４、３５においてトランジスタＱ１、Ｑ２を設けた例を示したが、トランジスタはＦＥＴなどの他のスイッチング素子であってもよい。
【００６２】
また、上述した実施形態では、バックライト１７として冷陰極管を用いた例を示したが、冷陰極管に代えてＥＥＦＬ（External Electrode Fluorescent Lamp：外部電極蛍光ランプ）などの放電管を用いてもよい。
【００６３】
さらに、上述した実施形態では、本発明を液晶テレビ１００に適用した例を挙げたが、本発明は外部映像機器の接続が可能なパーソナルコンピュータ等の装置にも適用することができる。
【図面の簡単な説明】
【００６４】
【図１】本発明の実施形態に係る液晶テレビの外観を示す正面図である。
【図２】液晶テレビの電気的構成を示すブロック図である。
【図３】バックライト駆動部の具体的な回路の一例を示した図である。
【図４】管電流制御による省電力動作の手順を表したフローチャートである。
【符号の説明】
【００６５】
１２  外部入力端子
１５  ＯＳＤ処理部
１６  液晶パネル
１７  バックライト
１８  バックライト駆動部
２１  マイクロコンピュータ（制御部）
２５  電源
２６  外部機器
３０  ＰＷＭ調光回路
３１  発振回路
３２  スイッチング回路
３３  昇圧トランス
３４、３５  管電流調整回路
３６  積分回路
３７  コンパレータ
１００  液晶テレビ
Ｒ１〜Ｒ６  抵抗
Ｑ１、Ｑ２  トランジスタ
【図１】
2009294294.tif 000003
【図２】
2009294294.tif 000004
【図３】
2009294294.tif 000005
【図４】
2009294294.tif 000006